(57)【特許請求の範囲】
【請求項１】
撮影開始操作から所定のインターバル時間計時後に撮影動作に入るセルフモード機能付カメラにおいて、
被写体の距離に応じたピント合せ用の信号を出力するＡＦ用信号出力手段と、
上記ＡＦ用信号出力手段による出力信号に基づいて、撮影レンズを合焦駆動するレンズ駆動手段と、
被写体の像信号を検出する被写体像信号検出手段と、
セルフモード撮影の際、上記撮影開始操作直後における上記被写体像信号検出手段の出力に対して所定のインターバル時間計時後の撮影時における上記被写体像信号検出手段の出力の変化した部分の像信号が人物と判定される場合には上記撮影開始操作直後における上記ＡＦ用信号出力手段のピント合せ用出力信号によって、また、人物ではないと判定される場合には、所定のインターバル時間計時後の撮影時における上記ＡＦ用信号出力手段のピント合せ用出力信号によって、上記レンズ駆動手段を制御する制御手段と、
を具備することを特徴とするセルフモード機能付カメラ。
【請求項２】
撮影開始操作から所定のインターバル時間計時後に撮影動作に入るセルフモード機能付カメラにおいて、
撮影領域画面内の複数のポイントを測距可能であって、上記複数のポイントにおける被写体の距離に応じたピント合せ用の信号を出力するＡＦ用信号出力手段と、
上記ＡＦ用信号出力手段による出力信号に基づいて、撮影レンズを合焦駆動するレンズ駆動手段と、
セルフモード撮影の際、上記撮影開始操作直後における上記ＡＦ用信号出力手段の複数のポイントの出力信号の差が所定値よりも小さい場合には所定のインターバル時間計時後の撮影時における上記ＡＦ用信号出力手段のピント合せ用出力信号によって、また、大きい場合には上記撮影操作開始直後における上記ＡＦ用信号出力手段のピント合せ用出力信号によって、上記レンズ駆動手段を制御する制御手段と、
を具備することを特徴とするセルフモード機能付カメラ。
【発明の詳細な説明】
【０００１】
【発明の属する技術分野】
本発明は、セルフモード機能付カメラ、詳しくは、撮影開始操作を検知すると所定時間計時後に撮影を行なうセルフモード機能付カメラに関する。
【０００２】
【従来の技術】
従来のセルフモード機能を有するカメラにおいて、所望の箇所にピントが合わなくなる不具合を解決するものとして、例えば、特公昭６２−１８９０１号公報には、セルフモード撮影時にＡＦ処理（自動合焦処理）に制限を与えるカメラが提案されている。また、特公昭６２−１８９０２号公報には、セルフモード撮影時にはＡＦ処理を禁止するカメラが提案されている。また、特開昭６０−１４７７０９号公報に提案されたものは、セルフモード撮影時には、測距する部分を増加し、ファインダーを見なくともピンボケを防止することができるカメラに関するものである。
【０００３】
【発明が解決しようとする課題】
しかし、上述の従来のセルフモード機能付きのカメラのように、カメラに付加されたＡＦ処理機能を制限したり、禁止したりすると、正しい測距が可能な位置に被写体がいたとしても、正確なピント合わせができなくなるという不具合が生じる。また、ファインダーを見ない状態でむやみに測距ポイントを増加させると、レリーズ操作前に操作者が狙った被写体にピントが合わなくなってしまう確率が高まる。
【０００４】
本発明は、以上の点に鑑み、セルフモード撮影時において、撮影時にピントを確認したり、あるいは、ファインダー内の測距ターゲットを確認していなくても、被写体の状態に対して常に正しいピントでの撮影が可能なカメラを提供することを目的としている。
【０００５】
本発明の第１のセルフモード機能付カメラは、撮影開始操作から所定のインターバル時間計時後に撮影動作に入るセルフモード機能付カメラにおいて、被写体の距離に応じたピント合せ用の信号を出力するＡＦ用信号出力手段と、上記ＡＦ用信号出力手段による出力信号に基づいて、撮影レンズを合焦駆動するレンズ駆動手段と、被写体の像信号を検出する被写体像信号検出手段と、セルフモード撮影の際、上記撮影開始操作直後における上記被写体像信号検出手段の出力に対して所定のインターバル時間計時後の撮影時における上記被写体像信号検出手段の出力の変化した部分の像信号が人物と判定される場合には上記撮影開始操作直後における上記ＡＦ用信号出力手段のピント合せ用出力信号によって、また、人物ではないと判定される場合には、所定のインターバル時間計時後の撮影時における上記ＡＦ用信号出力手段のピント合せ用出力信号によって、上記レンズ駆動手段を制御する制御手段と、を具備することを特徴とする。
【０００６】
本発明の第２のセルフモード機能付カメラは、撮影開始操作から所定のインターバル時間計時後に撮影動作に入るセルフモード機能付カメラにおいて、撮影領域画面内の複数のポイントを測距可能であって、上記複数のポイントにおける被写体の距離に応じたピント合せ用の信号を出力するＡＦ用信号出力手段と、上記ＡＦ用信号出力手段による出力信号に基づいて、撮影レンズを合焦駆動するレンズ駆動手段と、セルフモード撮影の際、上記撮影開始操作直後における上記ＡＦ用信号出力手段の複数のポイントの出力信号の差が所定値よりも小さい場合には所定のインターバル時間計時後の撮影時における上記ＡＦ用信号出力手段のピント合せ用出力信号によって、また、大きい場合には上記撮影操作開始直後における上記ＡＦ用信号出力手段のピント合せ用出力信号によって、上記レンズ駆動手段を制御する制御手段と、を具備することを特徴とする。
【０００８】
【発明の実施の形態】
以下、図を用いて本発明の実施の形態について説明する。
本発明の実施の形態としてのセルフモード機能付カメラの詳細な説明に先立って、上記カメラによるセルフモード撮影動作の概要から説明する。
セルフモード撮影において、撮影時に被写体が一人であれば、撮影者自身が被写体であると判断してもよく、撮影時に被写体が複数人であれば、あらかじめ撮影者が、ファインダー内でピントまたは測距枠内の被写体を確認していると判断してもよい。従って、被写体が一人である第１の被写体状態の前者のシーンでは、レリーズ操作後、被写体が画面に入るのでセルフタイマ設定時間計時後の撮影直前に測距しなければ、ピント合わせができない。また、被写体が複数人である第２の被写体状態の後者のシーンでは、レリーズ操作時点ですでに正しく、ピント合わせ用の測距がなされているとして、レリーズ操作直後の測距結果を優先して撮影を行ってよい。
【０００９】
本発明のセルフモード機能付カメラでは撮影前に、被写体が一人であるか、被写体が複数人であるかを撮影者自身が判断するか、または、自動的に判定し、それによって、上述のように撮影直前、または、レリーズ操作直後に測距を行って、撮影が実行される。
【００１０】
図１（Ａ），（Ｂ）は、セルフモード撮影時の上記２つのシーンでのレリーズ操作時と撮影時との画面の違いを示す図である。上記図１（Ａ）は、第１の被写体の状態であって、一人旅などで撮影者自身が自分を撮影する時の状況を示し、レリーズ操作時は、風景しか画面１Ａ1 に入っていない。しかし、セルフタイマ設定時間計時（以下、セルフタイマ計時後と記載する）後の撮影時には画面１Ａ2 のように主要被写体として、撮影者自身である被写体２Ｃが入ってきて、しかも写真は風景よりも撮影者である被写体２Ｃにピントを合わせたい状況である。一方、図１（Ｂ）は、第２の被写体の状態であって、記念写真などで、何人かの人物が顔を合わせた時にとられる写真の状況を示している。すなわち、レリーズ操作時の画面１Ｂ1 にはすでに２人の被写体２Ａ，２Ｂが入っており、セルフタイマ計時後の画面１Ｂ2 に撮影者が被写体２Ｃとして入っている。
【００１１】
図１（Ａ）の場合、レリーズ操作直後のピント合わせはあまり意味がなく、撮影の直前の人物である被写体２Ｃに対する測距及びピント合わせが重要となる。撮影者がファインダ内で確認した状況を優先させる場合であれば、このようにレリーズ操作直後の測距が望ましいが、図１（Ａ）のようなシーンの撮影でレリーズ操作後に目的とする被写体２Ｃが画面に入ってくる場合、被写体２Ｃにピントを合わせようとしても、レリーズ操作直後の測距では不可能である。
【００１２】
一方、図１（Ｂ）のような状況では、レリーズ操作時に、すでに撮影したい対象２Ａ，２Ｂは入っており、これに対し測距ピント合わせを行えばよい。従って、撮影者である被写体２Ｃがレリーズ操作後に画面内に入っても、ピントは変えなくともよい。そして、このような状況にある場合、もし、セルフタイマ計時後の撮影直前に測距した結果でピント合わせをしてしまうと、折角、撮影者が正しく被写体に対してフレーミングを行っていても、撮影までの間に画面内を第三者が横切ったり、撮影者自身が測距ポイント３に入り、しかも、それが本来ピント合わせしたかった被写体２Ａ、または、２Ｂと異なっている場合、撮影失敗の写真となってしまう可能性がある。そこで、図１（Ｂ）のシーンのように撮影者がファインダ内で確認した状況を優先させる場合であれば、レリーズ操作直後の測距が望ましいことになる。
【００１３】
そこで、本発明のセルフモード機能付きカメラは、上記図１（Ａ）、または、図１（Ｂ）のいずれのシーンの撮影であるかを撮影者、または、カメラが自動的に判断して、その切り換え信号を出力し、それぞれのシーンにふさわしい測距、または、ピント合わせのタイミングを選択するように構成される。以下、本発明の各実施の形態のセルフモード機能付きカメラについて詳細に説明する。
【００１４】
図２は、本発明の第１の実施の形態を示すセルフモード機能付きカメラ２１の外観を示す斜視図である。本カメラ２１のカメラボディ５には、撮影レンズ２３と、ファインダ対物レンズ２４と、レリーズスイッチ６（図３参照）操作用のレリーズボタン６ａと、ストロボ窓２５と、表示用ＬＣＤ２６と、セルフ撮影モード切り換えスイッチ７（図３参照）を切り換え操作するためのモード切り換えボタン７ａ等が配設されている。
【００１５】
図３は、上記セルフモード機能付きカメラ２１の主要ブロック構成図である。上記カメラ２１は、主にワンチップマイコン等からなる制御手段であって、各ユニットを制御し、カメラ全体のシーケンスを司るＣＰＵ１０と、レリーズボタン６ａ、または、モード切り換えボタン７ａで操作され、それぞれの操作出力が上記ＣＰＵ１０に取り込まれるレリーズスイッチ６およびセルフ撮影モード切り換えスイッチ７と、多点測距が可能な測距手段である測距回路８と、駆動モータ等を含み、撮影レンズ２３を進退駆動してピント合わせを行う撮影レンズ駆動装置１２と、露出用測光手段である測光回路９と、被写体像の露光制御を行なうためのシャッタ装置１１と、自然発光だけでは露光が迅速に行われない時にストロボを発光させて光を補うためのストロボ装置１７とを具備している。
【００１６】
図４は、上記測距回路８とＣＰＵ１０の詳細な回路構成を示す回路図である。上記測距回路８は、人間の両目のように視差Ｂを有し、焦点距離ｆである左右２つの受光レンズ１３ａ，１３ｂと、両受光レンズの焦点距離ｆ近傍に配設され、被写体２Ｂ等の像を電気信号に変換する左右２つのセンサアレイ１４ａ，１４ｂと、上記電気信号に変換された像信号をディジタル信号に変換するＡ／Ｄ変換回路１５ａ，１５ｂと有している。
【００１７】
上記センサアレイ１４ａ，１４ｂは、受光レンズ１３ａ，１３ｂで取り込まれた被写体像を電気信号に変換する。上記電気信号に変換された像信号は、Ａ／Ｄ変換回路１５ａ，１５ｂにて、ディジタル信号に変換され、ＣＰＵ１０に出力される。
ＣＰＵ１０は、こうして得られた１対のディジタル像信号を用いて、上記視差Ｂに基づくズレ具合を検出し、そのズレ量Ｘから次の式を用いて、被写体距離Ｌを求める。すなわち、
Ｌ＝Ｂ・ｆ／Ｘ  ………（１）
により求められる。
【００１８】
被写体距離を求める測距ポイントとしては、図１（Ａ），（Ｂ）に示すように画面内の３ヶ所の測距ポイント３Ａ，３Ｂ，３Ｃとする。例えば、図４に示すように画面中央被写体２Ｂの測距ポイント３Ｂの測距時には、光路１６ｂを用い、センサアレイ１４ａにおける受光レンズ１３ａ光軸付近の像信号と、センサアレイ１４ｂ上の対応する像信号の位置を比較する。また、画面内左の測距ポイント３Ａの測距時には、光路１６ａを用い、センサアレイ１４ａの右方の像とをセンサアレイ１４ｂの右方の像の同様の比較を行って被写体距離を求める。また、画面内右の測距ポイント３Ｃの測距時には、光路１６ｃを用い、センサアレイ１４ａの左方の像とをセンサアレイ１４ｂの左方の像の同様の比較を行って被写体距離を求める。
上述の測距回路８とＣＰＵ１０とにより、例えば、図１（Ａ）のようなシーンであって、もし、被写体２Ｃが画面内の必ずしも中央に存在しなくても、被写体２Ｃの測距が可能で正確なピント合わせが可能となる。
【００１９】
上記モード切り換えスイッチ７は、セルフモード撮影における２種類のモードの切り換えを行うスイッチである。上記２種類のモードのうちの１つは、一人被写体撮影モードであり、レリーズボタン操作後、セルフタイマ計時後の撮影の直前にＡＦ動作、すなわち、撮影の直前に上記測距回路８により測距ポイント３Ａ，３Ｂ，３Ｃの測距を行い、該測距データにより撮影レンズを合焦駆動し、撮影が行われる。また、他の１つは、集合被写体撮影モードであり、レリーズボタン操作直後に上述のＡＦ動作を行い、セルフタイマ計時後に撮影が行われる。
【００２０】
次に、以上のように構成された本実施の形態のセルフモード機能付きカメラ２１によるセルフモード撮影動作について説明する。
前記図１（Ａ）と図１（Ｂ）の双方のシーンでのセルフモード撮影で同じようにレリーズ後、所定の時間を待ってから撮影露光に入る。しかし、実は、上記双方のシーンは全く異なる状況である。そこで、撮影者は、上記シーンの撮影に先立って、モード切り換えボタン７ａを操作して、撮影シーンに合わせてセルフ撮影モード切り換えスイッチ７を切り換える。すなわち、撮影シーンが図１（Ａ）の第１の被写体状態である一人被写体シーンである場合は、一人被写体撮影モードに、また、撮影シーンが図１（Ｂ）の第２の被写体状態に対応する複数の被写体の集合シーンである場合は、上記集合被写体撮影モードにそれぞれ切り換えておく。
【００２１】
その後、レリーズボタン６ａを操作してセルフモード撮影を実行するが、上記一人被写体撮影モードが選択されている場合、レリーズボタン６ａ操作後、所定時間計時後の撮影の直前にＡＦ動作、すなわち、撮影の直前に測距を行い、該測距データによりレンズ駆動後、撮影が実行される。また、上記集合被写体撮影モードが選択されている場合、レリーズボタン６ａ操作直後にＡＦ動作を行って、その状態のまま撮影が実行される。
このように本カメラ２１では、セルフモード撮影時に選択されたセルフ撮影モードに従い、上記ＣＰＵ１０により撮影時のＡＦ動作のための測距のタイミングが制御される。
【００２２】
図５は、本実施の形態のセルフモード機能付きカメラ２１のセルフタイマ撮影処理の概略のフローチャートである。ステップＳ１において、セルフ撮影モード切り換えスイッチ７の切り換え状態をチェックする。すなわち、撮影者が撮影シーンが一人被写体撮影であることをカメラに指示している場合は、ステップＳ３に制御を分岐させ、撮影の直前にＡＦ動作を行ない、ステップＳ４にて撮影を実行する。また、一人被写体撮影の指示を与えていない場合、すなわち、集合被写体の撮影であることを指示している場合、ステップＳ２に分岐し、レリーズボタン６ａ操作直後にＡＦ動作を行い、ステップＳ４にて撮影を実行する。
【００２３】
以上、説明したように本実施の形態のセルフモード機能付きカメラ２１によれば、セルフタイマ撮影において撮影者が一人で自分自身を撮影する場合と、集合写真のようにその他の被写体といっしょに撮影する場合とでＡＦ動作のタイミングを変えているので、撮影者の意図にもとづいた、正確なピントのセルフモード撮影が楽しめるカメラが提供できる。
【００２４】
次に、本発明の第２の実施の形態のセルフモード機能付きカメラ３１について説明する。なお、本実施の形態のカメラの構成は、図３のブロック構成において、セルフ撮影モード切り換えスイッチ７を不要とし、制御を司る制御手段としてＣＰＵ１０のセルフモード撮影処理のみが異なるものとする。
【００２５】
図６は、セルタイマ撮影における本カメラ３１と被写体の状態を示す図であって、図６（Ａ）は、レリーズボタン操作時の状況を示しており、カメラ５の前方にはまだ被写体２は存在しない。この状況で１回目の測距を行う。その後、図６（Ｂ）のようにセルフタイマ計時中に撮影者が移動し、カメラ３１の前に被写体２として立つとすると、この状態で２回目の測距を行った場合、上記１回目の測距とは異なる結果が得られる。
【００２６】
この２回目の測距結果の差異にもとづいて、セルフタイマ計時後の撮影を行うような技術は、従来からすでに提案はなされている。しかし、実際には上述の１回目の測距結果を採用するか、２回目の測距結果を採用するかは、従来のカメラでは判断できない。
【００２７】
また、前記図１（Ａ）のようなシーンで撮影者のみが被写体である１人被写体のセルフモード撮影で、その撮影者が撮影直前に画面に入る場合、２回目の測距結果を採用するべきである。また、図１（Ｂ）のようなシーンで複数人の集合被写体のセルフモード撮影で、後から画面に入る撮影者以外にピントを合わせたい場合、１回目の測距結果を採用するべきである。
【００２８】
そこで、本実施の形態のセルフモード機能付きカメラ３１では、１回目の測距結果が図６（Ｂ）に示す所定距離Ｌ1 より遠いか否かによって、これらのシーンの特定を行っている。つまり、図１（Ａ）のシーンでは、１回目の測距結果は非常に遠い距離であるが、図１（Ｂ）のシーンでは１回目の測距結果は比較的近い距離であることから、所定距離Ｌ1 を５ｍ程度、または、撮影レンズの焦点距離の５０倍程度と設定して、１回目の測距結果が上記所定距離Ｌ1 より遠いかどうかの判定を行うことによってシーンの特定を行うようにＣＰＵ１０によって制御される。
【００２９】
図７は、本実施の形態のカメラ３１におけるセルフタイマ撮影処理のフローチャートである。本セルフタイマ撮影処理では、まず、ステップＳ５でレリーズ操作直後の測距を行い、１回目の測距結果を測距値Ｌとして取り込む。ステップＳ６で上記測距値Ｌと所定距離Ｌ１を比較し、測距値Ｌが所定距離Ｌ１より遠いと判定された場合は、撮影シーンが図１（Ａ）のシーンであるとして、モードを１人被写体撮影モードに設定して、ステップＳ７に分岐する。ステップＳ７でセルフタイマの時間待ちをして、ステップＳ９で再測距を行って、その測距値を被写体距離ＬP とする。ステップＳ１１で上記被写体距離にピント合わせを行い、ステップＳ１２にて撮影を行なって、本ルーチンを終了する。
【００３０】
一方、ステップＳ６の判定で測距値Ｌが所定距離Ｌ１より遠くないと判定された場合は、モードを集合被写体撮影モードに設定して、ステップＳ８に分岐する。そこで、１回目の測距値Ｌを被写体距離ＬP とし、ステップＳ１１以降に進み、そのままピント合わせを行って、撮影を実行し、本ルーチンを終了する。
【００３１】
以上、説明したように、本実施の形態のセルフモード機能付きカメラ３１によれば、１回目の測距結果を、所定の距離Ｌ1 と比較して、ピント合わせするＡＦ処理のタイミングを決めるように制御するので、集合写真のセルフ撮影でも１人だけのセルフ撮影でも正確なピント合わせができる。また、上記ステップＳ６の判定でステップＳ８に分岐する場合、再測距を行わないので、余分の電力を消費せず、電力消費を抑えることができる。
【００３２】
次に、図８に、本発明の第３の実施の形態であるセルフモード機能付きカメラ４１について説明する。なお、本実施の形態のカメラ４１の構成は、図３のブロック構成において、セルフ撮影モード切り換えスイッチ７を不要とし、制御を司る制御手段としてＣＰＵ１０のセルフモード撮影処理のみが異なるものとする。
【００３３】
本実施の形態のカメラ４１は、セルフモード撮影において、前記図４で説明した多点（マルチ）測距の効果をより前向きに利用したカメラである。すなわち、３つの測距ポイントのうち、左右の測距ポイントの測距結果に基づき、図１（Ａ）の１人被写体撮影シーンか、図１（Ｂ）の集合被写体撮影シーンかを判定し、その判定結果によりＡＦ動作を実行するカメラである。
【００３４】
図８は、本カメラ４１によるセルフモード撮影において、撮影者がレリーズ操作後、すでにフレーミングされている被写体２Ｄの隣に被写体２Ｅとして並ぶ様子を示した図である。このような状態でのレリーズ操作直後の３つの方向４２Ｌ，４２Ｃ，４２Ｒの測距ポイントの測距の結果は、左方向４２Ｌの測距ポイントは、被写体２Ｄの距離であり、近距離となり、右方向４２Ｒの測距ポイントには被写体はないので遠距離となっている。そこで、本カメラ４１では、例えば、上記２つの方向４２Ｌ，４２Ｒの測距ポイントの測距値の差の大小によって、撮影シーンの状態が判断される。
【００３５】
すなわち、レリーズ操作後、撮影直前になると、撮影者が被写体２Ｅとして右方向４２Ｒの測距ポイントに入って、撮影が実行されるが、レリーズ操作直後のマルチ測距で得られた左右ポイントの測距値の差が所定値より大きい場合、集合被写体の撮影シーンである判断する。また、上記の差が所定値より小さい場合、１人被写体の撮影シーンであると判断し、それぞれセルフモード撮影が実行される。
【００３６】
図９は、本実施の形態のセルフモード機能付きカメラ４１のセルフモード撮影処理のフローチャートである。セルフ撮影時のレリーズ操作後、まず、ステップＳ２０で上述の３点の多点測距（マルチＡＦ）を行い、４２Ｌ，４２Ｃ，４２Ｒ方向の距離ＬL ，ＬC ，ＬR を測定する。ステップＳ２１では、左右の測距結果の距離ＬL ，ＬR を比較し、その距離差が所定の距離差Ｌ0 より大きいときには集合撮影シーンであるとし、モードを集合被写体撮影モードに設定して、ステップＳ２２に分岐する。
【００３７】
ステップＳ２２でセルフタイマ計時の経過を待って、ステップＳ２３に進む。ここではすでに被写体２Ｄにフレーミングがされていたとして、レリーズ動作直後の上記ステップＳ２０での上記多点測距での距離ＬL ，ＬC ，ＬR のうち最至近距離を合焦すべき被写体距離ＬP として採用し、ステップＳ２７に進む。ステップＳ２７で上記被写体距離ＬP に対するピント位置に撮影レンズを駆動し、ステップＳ２８で撮影を実行し、本ルーチンを終了する。
【００３８】
一方、上記ステップＳ２１の判定処理で距離ＬL ，ＬR の距離差が所定の距離差Ｌ0 より小さいときには、撮影者以外に一緒に撮影される人物はいないとして、モードを１人被写体撮影モードに設定して、ステップＳ２５に分岐する。そこで、セルフタイマ計時の経過を待ち、ステップＳ２６にて再度マルチ測距を行ない、距離ＬL ，ＬC ，ＬR のうち最至近距離を合焦すべき被写体距離ＬP として採用する。そして、ステップＳ２７に進み、被写体距離ＬP にピント合わせを行なって、ステップＳ２８で撮影を実行し、本ルーチンを終了する。
【００３９】
以上、説明したように本実施の形態のセルフモード機能付きカメラ４１によると、マルチＡＦの結果を有効に利用して、セルフモード撮影において、撮影者が一人で画面に入るシーンか、集合被写体のシーンかを判定するので、撮影者の意図に従ったピントの写真が撮影できる。
【００４０】
次に、本発明の第４の実施の形態のセルフモード機能付きカメラ５１について説明する。なお、本実施の形態のカメラ５１の構成も図３のブロック構成において、セルフ撮影モード切り換えスイッチ７を不要とし、制御を司る制御手段としてＣＰＵ１０のセルフモード撮影処理のみが異なるものとする。
【００４１】
図１０は、本実施の形態のカメラ５１における測距回路８の左側受光部のみと被写体２を示す図である。前記図４でも説明したように被写体２の像は、受光レンズ１３ａを介して取り込まれ、測距用のセンサアレイ１４ａ上の結像する。受光レンズ１３ａの焦点距離ｆとし、被写体２の幅Ｈとすると、被写体距離Ｌであれば、センサアレイ１４ａ上に結像する被写体像の幅Ｗは、
Ｗ＝ｆ・Ｈ／Ｌ  ………（２）
となる。なお、図４で説明したように、上記被写体距離Ｌは、左右のセンサアレイ１４ａ，１４ｂの１対のセンサ出力から、相対的な被写体像のズレ量を検出し、三角測距の原理に従って求めることができる。
【００４２】
被写体としての人間の肩幅Ｈは、略一定の大きさに入る。したがって、上記センサアレイ１４ａ上の像幅Ｗの大きさから被写体が人物であるかどうか、さらに、被写体の人数を判別することができる。
【００４３】
次に、本実施の形態のカメラ５１におけるセンサアレイ上の像幅検出を利用した撮影人数の具体的な判別方法について説明する。
図１１（Ａ），（Ｂ）は、レリーズ操作直後での被写体１人の画面５２と、そのときのセンサアレイ１４ａのセンサデータ出力波形を示す図である。図１２（Ａ），（Ｂ）は、セルフタイマ計時後にさらに１人の被写体が加わった状態の画面５３と、そのときのセンサアレイ１４ａのセンサデータ出力波形を示す図である。
【００４４】
図１１（Ａ）のレリーズ操作直後の画面５２では、図１１（Ｂ）の波形に示すようにセンサアレイ上で被写体２Ｆの像幅Ｗ1 が得られる。特に、背景と人物の輝度差が大きいとき、このセンサデータ波形の高低はより明瞭となる。また、図１２（Ａ）に示すようにセルフタイマ計時後にさらに撮影者が被写体２Ｇとして加わったとすると、図１２（Ｂ）の波形に示すようにセンサアレイ上で図１１（Ｂ）での被写体２Ｆの像幅Ｗ1 に加えて被写体２Ｇの像幅Ｗ2 が得られる。
【００４５】
本実施の形態のカメラ５１では、セルフモード撮影において、セルフタイマ計時後の画面上に撮影者に対応する像幅Ｗ2 の被写体が検出されたかどうかによって、１人被写体か、集合被写体かの被写体の状態が判別される。
【００４６】
図１３は、本実施の形態のカメラ５１におけるセルフモード撮影処理のフローチャートを示す。
本処理ルーチンにおいて、まず、ステップＳ３０でレリーズボタン操作直後のセンサデータ検出を行って、ＣＰＵ１０に図１１（Ｂ）のようなセンサデータが取り込まれる。ステップＳ３１にて前記図４で説明したように左右のセンサアレイ１４ａ，１４ｂの一対のセンサデータから相対的なズレ量を検出し、三角測距の原理に基づいて被写体距離Ｌの演算を行なう。
【００４７】
ステップＳ３２でのセルフタイマ計時待ち後、ステップＳ３３では、再度センサアレイ１４ａ，１４ｂから２回目のセンサデータによるパターンが取り込まれる。このとき、撮影者が図１２（Ｂ）のように画面内に被写体２Ｇとして入った場合は、センサデータは図１２（Ｂ）の状態に変化する。ステップＳ３４において、変化した部分があれば像幅Ｗ2 が検出される。
【００４８】
ステップＳ３５においては、ステップＳ３１で算出した被写体距離ＬとＡＦ用受光レンズ１３ａの焦点距離ｆ、および、一般的な人物の肩幅Ｈを用いて、肩幅Ｈに対応する像幅を示す値ｆ・Ｈ／Ｌを求めて、上記像幅Ｗ2 と比較する。比較の結果、像幅Ｗ2 が値ｆ・Ｈ／Ｌと略等しいときは、図１２（Ａ）のように並んで複数の被写体が撮影される集合被写体の状況であるとＣＰＵ１０は判断し、ステップＳ３７に分岐して、前記ステップＳ３１で求めた１回目の測距結果である被写体距離Ｌを合焦用の被写体距離ＬP として採用する。そして、ステップＳ３８にて上記被写体距離ＬP にピント合わせを行い、ステップＳ３９で撮影を実行して、本ルーチンを終了する。
【００４９】
一方、像幅Ｗ2 が値ｆ・Ｈ／Ｌと差異があるときは、集合写真の撮影ではないとし、ステップＳ３５で得られた上記２回目のセンサデータにより得られる被写体距離Ｌを改めて合焦用の被写体距離ＬP として採用する。そして、ステップＳ３８にて上記被写体距離ＬP にピント合わせを行い、同様にステップＳ３９で撮影を実行して、本ルーチンを終了する。
【００５０】
以上説明したように、第４の実施の形態のセルフモード機能付きカメラ５１によれば、ＡＦ用センサアレイ１４ａのセンサデータの変化を検出し、人物の肩幅を判定して、被写体が人物であるか否かを正確に判断できる。また、画面上のセンサデータの変化した部分を用いてステップＳ３４、または、ステップＳ３６で測距を行なうので、セルタイマ計時後の２回目の測距がより確実なものとなり、ピントずれのない正確なセルフモード撮影が可能となる。
【００５１】
次に、上記第４の実施の形態の実施例のセルフモード機能付きカメラの変形例のカメラについて説明する。
この変形例のセルフモード機能付きカメラは、そのセルフモード撮影処理において、上記図１３のステップＳ３０で検出された１回目のセンサデータにより、像幅Ｗ1 を検出する。その像幅Ｗ1 の大きさを判別することによって、１人被写体の撮影か、集合被写体の撮影かを判別することを特徴としている。
【００５２】
図１４は、本変形例のカメラにおけるセルフモード撮影処理のフローチャートである。本ルーチンにおいて、まず、ステップＳ４０でレリーズ操作直後の１回目の測距を行い。さらに、ステップＳ４１にて、測距した部分のセンサアレイ１４ａのセンサデータを用いて、図１１（Ｂ）に示した像幅Ｗ1 を検出する。ステップＳ４２では、上記像幅Ｗ1 が一般的な人物の肩幅Ｈに相当するかをチェックするによって測距した被写体が人物であるか否かを判別する。なお、上記判別は、像幅Ｗ1 がｆ・Ｈ／Ｌと略等しいかどうかをチェックすることによって行われる。
【００５３】
ステップＳ４２の判別で像幅Ｗ1 が人物に対応する値であると判別された場合、人物がすでに画面内にあると判断して、前記図１（Ｂ）に示した撮影シーンと見做し、ステップＳ４３に分岐して、モードを集合被写体撮影のセルフモードとする。この場合、合焦のための被写体距離としてステップＳ４０の１回目の測距結果による距離を採用する。
一方、ステップＳ４２の判別で像幅Ｗ1 が人物に対応する値ではないと判別された場合、人物以外のものが画面内にあると判断して、前記図１（Ａ）に示した撮影シーンと見做し、ステップＳ４５に分岐して、モードを一人被写体撮影のセルフモードとする。この場合、合焦のための被写体距離としてセルフタイマ計時後の２回目の測距結果による距離を採用する。
【００５４】
なお、上記ステップＳ４３、または、Ｓ４５で各セルフ撮影モードに設定された後、それぞれステップＳ４４、または、４６に進むが、そのステップでは被写体が暗いときに、上記一人被写体撮影モードと集合被写体撮影モードによって、ストロボ光の配分を変え、より状況に適した写真撮影を行なうようにしている。
【００５５】
つまり、集合被写体撮影モードでは背景よりも写っている人物が重要であるので被写体ブレを考慮して、ストロボ光のみで露光を行うように、ストロボ発光光量を１とする。しかし、一人被写体撮影モードでは、背景が重要となるので、背景がなるべく正しい露光で写し込めるように、自然光を０．５、ストロボ光を０．５の半々の割合にした露出制御を行なうように設定する。
【００５６】
セルフモード撮影ではカメラは三脚等で固定されているので、シャッタ秒時が多少長くなっても、すぐにぶれてしまうことはない。なお、ストロボ光が不要な時は、上記ステップＳ４４，Ｓ４６の処理は不要である。説明の単純化のため、図１４のフローチャートにストロボ処理不要のときの分岐、および、ストロボ光量設定以降の処理も示していない。
【００５７】
以上、説明したように本変形例のセルフモード機能付きカメラでは、測距用センサアレイ１４ａの出力から被写体の幅を判定し、それが人物であるか否かまでを考えて、集合被写体のセルフモード撮影であるか、一人被写体だけのセルフモード撮影であるかを判断し、さらに、ピント合わせのみならず露出制御の仕方も状況に対して適正に切り換えることができるので、より撮影者の想定通りのセルフモード撮影ができるカメラを単純な構成にて提供できる。
【００５８】
（付記）
上記説明した本発明の実施の形態に基づいて、以下の示す構成を有するセルフモード機能付カメラを提案できる。すなわち、
（１）  撮影開始操作から所定のインターバル後に撮影動作に入るセルフモード機能付カメラにおいて、
被写体の距離を測距する測距手段と、
上記測距手段の測距結果に基づいて、撮影レンズを合焦駆動するレンズ駆動手段と、
セルフモード撮影の際、上記被写体が撮影者１人のみであるか複数人であるかの被写体状態に応じた切り換え信号をカメラの制御手段に出力する切り換え信号出力手段と、
を具備し、上記切り換え信号に基づいて、上記撮影開始操作直後の測距結果と上記所定のインターバル後の撮影直前の測距結果のいずれを用いるかを切り換えることを特徴とするセルフモード機能付カメラ。
【００５９】
（２）  上記撮影開始操作直後における上記測距手段の結果が所定の距離よりも遠い場合には、被写体が撮影者自身であると判定する判定手段を具備し、上記判定手段の判定結果に基づいて、上記切り換え信号出力手段から出力される切り換え信号が切り換えられることを特徴とする付記１記載のセルフモード機能付カメラ。
【００６０】
（３）  上記測距手段は、撮影領域画面内の複数ポイントを測距可能であり、上記複数ポイントでの測距結果を比較して上記複数ポイントの差異が所定値よりも大きい時には被写体が複数人であると判定する判定手段を具備し、上記判定手段の判定結果に基づいて、上記切り換え信号出力手段から出力される切り換え信号が切り換えられることを特徴とする付記１記載のセルフモード機能付カメラ。
【００６１】
（４）  上記測距手段は、センサアレイを有し、該センサアレイの出力パターンを判定することによって、被写体が撮影時に１人であるか複数人であるかを判定する判定手段を具備し、上記判定手段の判定結果に基づいて、上記切り換え信号出力手段から出力される切り換え信号が切り換えられることを特徴とする付記１記載のセルフモード機能付カメラ。
【００６２】
（５）  上記切り換え信号出力手段は、撮影者が被写体状態に応じて選択操作する操作スイッチであることを特徴とする付記１記載のセルフモード機能付カメラ。
【００６３】
（６）  上記切り換え信号出力手段は、上記撮影開始操作直後における上記測距手段の測距結果によって決定される切り換え信号を自動的に出力することを特徴とする付記１，２，３，４記載のセルフモード機能付カメラ。
【００６４】
（７）  撮影開始操作を検知すると所定時間計時数に撮影を行なうセルフモード撮影に設定するセルフ撮影設定手段と、
セルフモード撮影に設定されている際、上記撮影開始操作直後における被写体状態に応じた第１の測距信号と上記所定時間計時後の撮影時における被写体状態に応じた第２の測距信号とを出力可能とする測距手段と、
上記測距手段の出力信号に基づいて、撮影レンズを合焦駆動するレンズ駆動手段と、
被写体状態に対応して、第１の被写体状態であるか第２の被写体状態あるかの設定を切り換える切り換え手段と、
セルフモード撮影の際には、上記切り換え手段における被写体状態の切り換え結果が上記第２の被写体状態である場合には撮影開始操作直後における上記測距手段の上記第１の測距信号によって、また、上記第１の被写体状態である場合には上記所定時間計時後の撮影時における上記測距手段の上記第２の測距信号によって上記レンズ駆動手段を制御する制御手段と、
を具備することを特徴とするセルフモード機能付カメラ。
【００６５】
（８）  撮影開始操作を検知すると所定時間計時後に撮影を行なうセルフモード撮影に設定するセルフ撮影設定手段と、
セルフモード撮影に設定されている際、上記撮影開始操作直後における被写体状態に応じた第１の測距信号を、また、上記所定時間計時後の撮影時における被写体状態に応じた第２の測距信号を出力可能とする測距手段と、
上記測距手段から出力される上記測距信号に基づいて、撮影レンズを合焦駆動するレンズ駆動手段と、
上記測距手段による上記第１の測距信号に基づいて、第１の被写体状態であるか第２の被写体状態あるかを判定する判定手段と、
上記判定手段による判定結果が上記第２の被写体状態である場合には撮影開始操作直後における上記測距手段の上記第１の測距信号によって上記レンズ駆動手段を制御し、また、上記第１の被写体状態である場合には上記所定時間計時後の撮影時における上記測距手段の上記第２の測距信号によって上記レンズ駆動手段を制御する制御手段と、
を具備することを特徴とするセルフモード機能付カメラ。
【００６６】
【発明の効果】
以上、説明したように本発明によれば、セルフモード撮影において、各被写体の状態に対応して正しいピントで撮影することができる。
【図面の簡単な説明】
【図１】本発明のセルフモード機能付きカメラの概要を説明するための被写体状態の異なる場合のレリーズ操作直後とセルフタイマ計時後の撮影シーンを示し、図１（Ａ）は、１人被写体の撮影シーンを示し、図１（Ｂ）は、集合被写体の撮影シーンを示している。
【図２】本発明の第１の実施の形態であるセルフモード機能付きカメラの外観を示す斜視図。
【図３】図２のセルフモード機能付きカメラの主要ブロック構成図。
【図４】図２のセルフモード機能付きカメラにおける測距回路およびＣＰＵの詳細な回路構成を示す図。
【図５】図２のセルフモード機能付きカメラのセルフモード撮影処理のフローチャート。
【図６】本発明の第２の実施の形態であるセルフモード機能付きカメラを用いたセルフモード撮影における上記カメラと被写体の状態を示す図であって、図６（Ａ）は、レリーズ操作直後の状態を示す図であり、図６（Ｂ）は、セルフタイマ計時後の状態を示す図である。
【図７】図６のセルフモード機能付きカメラのセルフモード撮影処理のフローチャート。
【図８】本発明の第３の実施の形態であるセルフモード機能付きカメラを用いたセルタイマ撮影時での上記カメラと被写体の状態を示す図。
【図９】図８のセルフモード機能付きカメラのセルフモード撮影処理のフローチャート。
【図１０】本発明の第４の実施の形態であるセルフモード機能付きカメラの測距回路の一部を示す図。
【図１１】図１０のセルフモード機能付きカメラのセルフモード撮影におけるレリーズ操作直後の状態に関する図であって、図１１（Ａ）は、被写体１人の画面を示し、図１１（Ｂ）は、上記画面の状態におけるセンサデータ出力波形を示す図である。
【図１２】図１０のセルフモード機能付きカメラのセルフモード撮影におけるセルフタイマ計時後の状態を示す図であって、図１２（Ａ）は、上記時間計時後に被写体が入ったときの画面を示し、図１２（Ｂ）は、上記画面の状態におけるセンサデータ出力波形を示す図である。
【図１３】図１０のセルフモード機能付きカメラのセルフモード撮影処理のフローチャート。
【図１４】図１０の第４の実施の形態のセルフモード機能付きカメラの変形例のカメラにおけるセルフモード撮影処理のフローチャート。
【符号の説明】
１Ａ2 ……１人被写体撮影シーン（第１の被写体の状態）
２Ｂ2 ……集合被写体撮影シーン（第２の被写体の状態）
７    ……モード切り換えスイッチ（信号発生手段）
８    ……測距回路（測距手段）
１０  ……ＣＰＵ（制御手段，判定手段）
１２  ……撮影レンズ駆動装置（レンズ駆動手段）
２３  ……撮影レンズ
【図１】
0004004591.tif 000002
【図２】
0004004591.tif 000003
【図３】
0004004591.tif 000004
【図４】
0004004591.tif 000005
【図５】
0004004591.tif 000006
【図６】
0004004591.tif 000007
【図７】
0004004591.tif 000008
【図８】
0004004591.tif 000009
【図９】
0004004591.tif 000010
【図１０】
0004004591.tif 000011
【図１１】
0004004591.tif 000012
【図１２】
0004004591.tif 000013
【図１３】
0004004591.tif 000014
【図１４】
0004004591.tif 000015